(57)【特許請求の範囲】
【請求項１】
開閉体に設けられる錠箱内のデッドカムに回動操作力を入力する錠前用サムターンであって、
前記錠箱に固定される筒状支持部と、
該筒状支持部に回動自在に支持される筒状軸部材と、
前記開閉体の屋内側から前記筒状軸部材に取り付けられ、該筒状軸部材と共に回動自在な摘み部と、
前記摘み部の反対側から前記筒状軸部材に取り付けられると共に端部が前記デッドカムに係合し、前記筒状軸部材と共に回動自在なコア部と、
該コア部と前記筒状軸部材との間の隙間及び前記コア部の端部と前記デッドカムとの間の隙間を閉塞可能なように前記コア部の端部に取り付けられる隙間閉塞部材と、
を備えていることを特徴とする錠前用サムターン。
【請求項２】
前記隙間閉塞部材は、前記コア部の端部に圧入されて前記コア部と前記筒状軸部材との間の隙間を閉塞するスペーサと、該スペーサに貼着されて前記コア部の端部と前記デッドカムとの間の隙間を填塞する弾性体とを備えていることを特徴とする請求項１記載の錠前用サムターン。
【発明の詳細な説明】
【技術分野】
【０００１】
本発明は、扉などの開閉体に設けられる錠箱内のデッドカムに回動操作力を入力する錠前用サムターンに関するものである。
【背景技術】
【０００２】
従来、扉などの開閉体に設けられる施錠装置には、開閉体に内蔵される錠箱と、開閉体の屋外側に露出するシリンダー錠と、開閉体の屋内側に露出する回転式のサムターンとが設けられている。そして、この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。また、屋内側からは、サムターンの摘み部を回転操作させることにより、デッドボルトが進退され、開閉体の施解錠が行われようになっている（例えば、特許文献１又は２参照）。
【先行技術文献】
【特許文献】
【０００３】
【特許文献１】特開２００５−２６４４５７号公報
【特許文献２】特開２００９−４６８９２号公報
【発明の概要】
【発明が解決しようとする課題】
【０００４】
しかしながら、上記した従来の施錠装置では、施錠装置の内部に生じる隙間を介して、屋外の空気や雨水などが屋内に侵入するといった可能性が皆無ではなく、この種の問題は、近年、数多く建設されている高層マンションなどでは、特に懸念される。
【０００５】
本発明は、上記した課題を解決すべくなされたものであり、施錠装置の内部に生じる隙間を介して屋外の空気や雨水などが屋内に侵入するのを防止することのできる錠前用サムターンを提供することを目的とするものである。
【課題を解決するための手段】
【０００６】
上記した目的を達成するため、本発明は、開閉体に設けられる錠箱内のデッドカムに回動操作力を入力する錠前用サムターンであって、前記錠箱に固定される筒状支持部と、該筒状支持部に回動自在に支持される筒状軸部材と、前記開閉体の屋内側から前記筒状軸部材に取り付けられ、該筒状軸部材と共に回動自在な摘み部と、前記摘み部の反対側から前記筒状軸部材に取り付けられると共に端部が前記デッドカムに係合し、前記筒状軸部材と共に回動自在なコア部と、該コア部と前記筒状軸部材との間の隙間及び前記コア部の端部と前記デッドカムとの間の隙間を閉塞可能なように前記コア部の端部に取り付けられる隙間閉塞部材と、を備えていることを特徴とする。
【０００７】
そして、本発明に係る錠前用サムターンにおいて、前記隙間閉塞部材は、前記コア部の端部に圧入されて前記コア部と前記筒状軸部材との間の隙間を閉塞するスペーサと、該スペーサに貼着されて前記コア部の端部と前記デッドカムとの間の隙間を填塞する弾性体とを備えているのが好ましい。
【発明の効果】
【０００８】
本発明によれば、内部に生じる隙間を介して屋外の空気や雨水などが屋内に侵入するのを防止することができる。
【図面の簡単な説明】
【０００９】
【図１】本発明の実施の形態に係る錠前用サムターンを示す断面図である。
【図２】本発明の実施の形態に係る錠前用サムターンの隙間閉塞部材のスペーサを示す平面図である。
【図３】本発明の実施の形態に係る錠前用サムターンの隙間閉塞部材の弾性体を示す平面図である。
【発明を実施するための形態】
【００１０】
以下、図面を参照しつつ、本発明の実施の形態に係る錠前用サムターンについて詳細に説明する。ここで、図１は本発明の実施の形態に係る錠前用サムターンを示す断面図、図２は本発明の実施の形態に係る錠前用サムターンの隙間閉塞部材のスペーサを示す平面図、図３は本発明の実施の形態に係る錠前用サムターンの隙間閉塞部材の弾性体を示す平面図である。
【００１１】
本発明の実施の形態に係る施錠装置１は、開閉体である扉２に内蔵される錠箱（図示省略）と、扉２の屋外側に露出するシリンダー錠（図示省略）と、扉２の屋内側に露出する回転式の錠前用サムターン３とを備えて構成されている。そして、前記錠箱にはラッチボルトやデッドボルト（いずれも図示省略）、及びデッドカム４２などが設けられており、錠前用サムターン３に回動操作力を入力することによって、或いは、前記シリンダー錠をキーによって回動することによって、前記ラッチボルト及び前記デッドボルトが扉２の木口から進退可能となっている。
【００１２】
錠前用サムターン３は、前記錠箱に固定される筒状支持部４と、筒状支持部４に回動自在に支持される筒状軸部材５と、扉２の屋内側から筒状軸部材５に取り付けられる摘み部６と、摘み部６の反対側から筒状軸部材５に取り付けられるコア部７とを備えて構成されている。
【００１３】
筒状支持部４は、軸方向に沿って略円筒形に形成され、その中央部分には周方向に凹部８が形成され、凹部８の屋内側端部及び屋外側端部にそれぞれ段差部９，１０が形成されている。また、筒状支持部４の屋外側端部には、軸線に対して直交する方向に上下に凸部１１が突設され、各凸部１１にそれぞれ固定穴１２が穿設されている。そして、筒状支持部４は、これらの固定穴１２を介して、その屋内側部分１３が扉２の屋内側の面２ａより突出するように前記錠箱に固定される。
【００１４】
筒状支持部４の屋内側部分１３の外周には、化粧リング１４が設けられ、化粧リング１４には、円錐の先端側を切除した形状を成す外筒部１５と、円筒形状を成す内筒部１６と、内筒部１６の端部に屈曲形成された掛止部１７とが設けられている。そして、この掛止部１７と筒状支持部４の屋内側段差部９との間にはリングバネ１８が介装されており、このリングバネ１８により化粧リング１４は屋外側に付勢されるようになっている。また、筒状支持部４の屋内側端部には、飾り筒１９が筒状支持部４の端面を覆うように取り付けられている。
【００１５】
筒状軸部材５は、軸方向に沿って略円筒形に形成され、屋内側端部の上下にはそれぞれ内側に入り込むように係止片２０が形成されている。また、筒状軸部材５の屋外側端面には、４個の欠込み部２１が互いに隣接する欠込み部２１との中心角が９０°となるように形成されており、また、筒状軸部材３の屋外側外周部には、上下に対向するようにそれぞれ掛止孔２２が形成されている。
【００１６】
摘み部６は、平板状に形成され、屋内側に露出して設けられる操作部２３と、筒状軸部材５に挿入される挿入部２４とから構成されている。そして、挿入部２４には切欠凹部２５が形成されており、この切欠凹部２５に係止片２０を係止することにより、摘み部６が筒状軸部材５に固定されるようになっている。
【００１７】
コア部７は、軸方向に沿って形成され、筒状軸部材５に挿入される小径部２６と、小径部２６より大径でデッドカム４２の凹部４２ａに挿入される大径部２７とを備えている。小径部２６には、４個の小突出部２８が互いに隣接する小突出部２８との中心角が９０°となるように断面十字形状に形成されていると共に、筒状軸部材５の掛止孔２２に対応した位置に掛止凹部２９が形成され、掛止孔２２及び掛止凹部２９にクリップ３０を掛止させることにより、コア部７が筒状軸部材５に固定されるようになっている。
【００１８】
大径部２７には、４個の大突出部３１が互いに隣接する大突出部３１との中心角が９０°となるように断面十字形状に形成され、大突出部３１と小突出部２８との間に段差部３２が形成されている。大径部２７の大突出部３１は筒状軸部材５の欠込み部２１に係合し、欠込み部２１に段差部３２が当接することにより筒状軸部材５に対するコア部７の挿入深さが規制されるようになっている。
【００１９】
コア部７の大径部２７には、隙間閉塞部材３３が設けられている。この隙間閉塞部材３３は、大径部２７に圧入される円形板状のスペーサ３４と、スペーサ３４に貼付される弾性体３５とから構成されている。
【００２０】
スペーサ３４は、図２に示されているように、円形板に、大径部２７に挿入可能な通孔３６が形成されて構成され、この通孔３６は、円形部分３７に４個の凸部３８が放射状に均等間隔（中心角９０°）で形成されて構成されている。円形部３７の４箇所の円弧部分にはそれぞれリブ突起３９が突設されており、このリブ突起３９によってスペーサ３４が大径部２７に圧入されるようになっている。また、通孔３６の外周角部は曲成されており、大径部２７へのスペーサ３４の圧入作業が円滑且つ容易に行えるようになっている。さらに、スペーサ３４を大径部２７に圧入すると、互いに隣接するリブ突起３９の間の当接部４０が筒状軸部材５の屋外側端面４１（図１参照）に当接することにより、コア部７に対するスペーサ３４の取付位置が位置決めされるようになっている。
【００２１】
弾性体３５は、例えば、発泡ポリエチレン製であり、図３に示されているように、スペーサ３４より小径且つデッドカム４２の凹部４２ａの外径と同一又は大径の円形板に、スペーサ３４の通孔３６と同一の大きさ及び同一形状の通孔３７が形成された２枚の弾性板４３を重合して貼り合わせることにより構成されており、スペーサ３４に両面テープなどを介して貼付されるようになっている。
【００２２】
このように、スペーサ３４には、大径部２７に圧入可能なように通孔３６が形成されていると共に、当接部４０が筒状軸部材５の屋外側端面４１に当接するように形成されているため、隙間閉塞部材３３をコア部７の大径部２７に取り付けると、コア部７と筒状軸部材５との間の隙間はスペーサ３４により閉塞される。
【００２３】
また、弾性体３５には、デッドカム４２の凹部４２ａの外径と同一又は大径の円形板に、大径部２７に挿入可能な通孔４４が形成された弾性板４３が設けられているため、隙間閉塞部材３３をコア部７の大径部２７に取り付けると、デッドカム４２の凹部４２ａに挿入されるコア部７の端部とデッドカム４２との間の隙間は弾性体３５により填塞される。
【００２４】
したがって、上記した本発明の実施の形態に係る錠前用サムターン１によれば、コア部７と筒状軸部材５との間の隙間やコア部７の端部とデッドカム４２との間の隙間が隙間閉塞部材３３によって閉塞されるため、屋外の空気や雨水などが内部の隙間を介して屋内に侵入するのを確実に防止することができる。
【００２５】
なお、上記した本発明の実施の形態の説明は、本発明に係る錠前用サムターンにおける好適な実施の形態を説明しているため、技術的に好ましい種々の限定を付している場合もあるが、本発明の技術範囲は、特に本発明を限定する記載がない限り、これらの態様に限定されるものではない。
【００２６】
すなわち、隙間閉塞部材３３は、スペーサ３４の両面に弾性体３５を貼付して構成したり、或いは、スペーサ３４又は弾性体３５のいずれか一方の部材のみを設けて構成したりするなど、コア部７と筒状軸部材５との間の隙間やコア部７とデッドカム４２との間の隙間などの内部に生じる隙間を閉塞可能な構成を備えていれば、上記した構成に限定されるものではない。
【００２７】
さらに、上記した本発明の実施の形態に係る錠前用サムターンの各構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００２８】
１          施錠装置
２          扉（開閉体）
３          錠前用サムターン
４          筒状支持部
５          筒状軸部材
６          摘み部
７          コア部
３３        隙間閉塞部材
３４        スペーサ
３５        弾性体
４２        デッドカム
【図１】
0005539125.tif 000002
【図２】
0005539125.tif 000003
【図３】
0005539125.tif 000004